(57)【要約】【課題】構造が単純で、操作性に優れると共に、電源端子とプラグ端子とを確実に接触させることができる電源コンセントを提供する。【解決手段】本発明の電源コンセント１は、一面が開放された直方体状の空間部２０を有するコンセント本体２と、この空間部２０内に挿入され、かつ開放面に向けて移動可能な直方体状の可動部材３とで構成されている。可動部材３に設けられた挿通孔３１にプラグ端子６１が挿入されたときに、コイルバネ２７の付勢力によって、可動部材３に設けられた中間端子３６の突起３７をコンセント本体２の底板２１に設けられた端子支持部材２５の側面の電源端子２４に押し付け、中間端子３６をプラグ端子６１と端子支持部材２４とで挟むことにより、電源端子２４とプラグ端子６１とを中間端子３６を介して電気的に接続する。【選択図】図４
2013161659.tif 000002
【特許請求の範囲】
【請求項１】
底板と側壁で囲まれ、一面が開放された空間部を有し、前記底板に、一対の電源コードとそれぞれ接続された一対の電源端子が取り付けられたコンセント本体と、
前記コンセント本体の空間部に移動可能な状態で収容され、電源プラグの一対のプラグ端子が挿入される一対の挿通孔が形成され、かつこの挿通孔に挿入された一対のプラグ端子と前記一対の電源端子とをそれぞれ接続する一対の中間端子が取り付けられた可動部材と、
前記コンセント本体の底板と前記可動部材との間に設置され、前記可動部材を前記空間部の開放面側に付勢するばね部材と、を備え、
前記コンセント本体の底板には、断面が矩形状であり、対向する一対の側面に前記電源端子が前記底板から延長する形で取り付けられ、かつ前記底板から離れるに従って側面間の幅が広くなる端子支持部材が固定され、
前記可動部材のうち前記端子支持部材と対向する箇所には、前記端子支持部材の前部が挿入される凹部が前記一対の挿通孔と一体となる形で形成され、
この凹部の底部に、前記一対の挿通孔に沿うように延び、かつ前記端子支持部材と対向する面に突起が形成された、金属板製の一対の中間端子が固定され、
前記一対の挿通孔に前記一対のプラグ端子がそれぞれ挿入されたときに、前記ばね部材の付勢力によって前記一対の中間端子の突起を前記端子支持部材の一対の電源端子にそれぞれ押し付け、前記一対の中間端子のそれぞれを前記一対のプラグ端子と前記端子支持部材とで挟むことにより、前記一対の電源端子と前記一対のプラグ端子のそれぞれを電気的に接続することを特徴とする電源コンセント。
【請求項２】
前記コンセント本体の対向する側壁に形成された矩形状の一対の開口部に、前記可動部材の対向する側面に形成された一対の突片がそれぞれ挿入され、前記可動部材が移動したときに前記一対の突片がそれぞれ前記一対の開口部の端部に当接することで前記可能部材の移動が制限されることを特徴とする請求項１に記載の電源コンセント。
【請求項３】
前記ばね部材としてコイルばねを用い、前記底板に、前記コイルばねの中空部を貫通する状態で支柱が取り付けられ、かつ前記可動部材に前記支柱を挿入する穴が形成されていることを特徴とする、請求項１または２に記載の電源コンセント。
【請求項４】
前記コイルバネが前記端子支持部材を中心として対称となる位置にそれぞれ配置され、この一対のコイルバネのそれぞれに対応する支柱が前記底板に取り付けられていることを特徴とする、請求項３に記載の電源コンセント。
【請求項５】
前記一対の中間端子の突起は、その中間端子を構成する金属板の一部を打ち出すことにより形成されたものであることを特徴とする、請求項１ないし４のいずれかに記載の電源コンセント。
【請求項６】
前記端子支持部材の先端部は断面が台形状に形成され、かつ前記側面に前記電源端子が取り付けられていないことを特徴とする、請求項１ないし５のいずれかに記載の電源コンセント。
【発明の詳細な説明】
【技術分野】
【０００１】
本発明は、電源プラグと共に電気コネクタを構成し、各種電気機器を商用電源に接続する際に用いる電源コンセントに関する。
【背景技術】
【０００２】
現在汎用されている商用電源用の電気コネクタは、２極あるいは３極のプラグ端子を有する電源プラグと、プラグ端子を差し込むことにより、プラグ端子に接触して電源を供給する電源コンセントとで構成されている。
【０００３】
一般的な電源コンセントは、プラスチックケースの内部にプラグ端子を挟み込むための電源端子を備えており、プラスチックケースの上面には電源端子の位置に対応させて、プラグ端子を挿通するための挿通孔が形成されている。
【０００４】
上述した従来の電源コンセントでは、電源端子がプラグ端子を挟み込む力が小さいと、プラグコードを引っ張った際に、電源コンセントから電源プラグが簡単に抜けてしまう恐れがある。逆に、電源端子がプラグ端子を挟み込む力が大きいと、電源コンセントから電源プラグを抜き取ることが困難な場合もある。
【０００５】
一方、電気コネクタにおいては、従来より、ソケットにプラグを固定するための技術や、ソケットからプラグを簡単に抜き取ることができる技術が種々提案されている。例えば、特許文献１には、コネクタのピンとソケットの嵌め合い強度を低減することなく、プラグ部の抜き差しを容易に行うことを可能にした電気コネクタが開示されている。
【０００６】
特許文献１に記載された電気コネクタは、操作レバーの回動に応じてソケット部に対して出入する押し棒をコネクタのプラグ部に設けたものである。そして、操作レバーを引き起こすと、押し棒がソケット部に突き当たり、プラグ部を押し上げる。また、操作レバーの突起に指をかけてそのまま引っ張ると、プラグ部を引き抜くことができるようになっている。
【０００７】
また特許文献２には、モジュラープラグに関する技術であるが、プラグをコネクタに差し込んだ際に、コネクタにプラグを係止することができると共に、プラグをコネクタからの引き抜く際の操作性を向上させた技術が開示されている。
【０００８】
特許文献２に記載されたモジュラープラグは、コネクタに挿入脱されるプラグ本体と、挿入されたプラグ本体をコネクタに係止するロック爪と、ロック爪によるプラグ本体とコネクタとの係止を解除させるレバー部とを有している。そして、挿入脱方向にスライド可能な構成でプラグ本体に配設されると共に、レバー部と対向する位置に傾斜面が形成されたロック解除部材を設け、このロック解除部材を挿入方向にスライドさせたとき、傾斜面がレバー部を操作してロック爪とコネクタとの係止を解除するようになっている。
【先行技術文献】
【特許文献】
【０００９】
【特許文献１】特開２００１−１１０５１７号公報
【特許文献２】特開２００８−１０２１０号公報
【発明の概要】
【発明が解決しようとする課題】
【００１０】
しかし、上述した従来の電気コネクタは、構造が複雑であったり操作性が悪く、改良の余地があった。構造が複雑な場合には、製造コストが上昇するばかりでなく、故障が増加し、さらに故障が発生した場合に修理が困難である場合が多い。
【００１１】
一方、操作方法が複雑であると、操作が面倒となり使い勝手が悪い。また、操作方法が分からない場合には、そもそも電気コネクタとして役に立たないこともある。さらに、電源端子とプラグ端子との接触が十分でないと、電気機器の動作が不安定になったり、最悪の場合には故障の原因となったりする。
【００１２】
このように電気コネクタに採用された従来の技術は、構造が複雑であったり操作性が悪く、電源コンセントに適用することが難しかった。
【００１３】
本発明は上述した事情に鑑みてなされたもので、構造が単純で、操作性に優れると共に、電源端子とプラグ端子とを確実に接触させることができる電源コンセントを提供することを目的とする。
【課題を解決するための手段】
【００１４】
上記目的を達成するため本発明にかかる電源コンセントは、底板と側壁で囲まれ、一面が開放された空間部を有し、前記底板に、一対の電源コードとそれぞれ接続された一対の電源端子が取り付けられたコンセント本体と、
前記コンセント本体の空間部に移動可能な状態で収容され、電源プラグの一対のプラグ端子が挿入される一対の挿通孔が形成され、かつこの挿通孔に挿入された一対のプラグ端子と前記一対の電源端子とをそれぞれ接続する一対の中間端子が取り付けられた可動部材と、
前記コンセント本体の底板と前記可動部材との間に設置され、前記可動部材を前記空間部の開放面側に付勢するばね部材と、を備え、
前記コンセント本体の底板には、断面が矩形状であり、対向する一対の側面に前記電源端子が前記底板から延長する形で取り付けられ、かつ前記底板から離れるに従って側面間の幅が広くなる端子支持部材が固定され、
前記可動部材のうち前記端子支持部材と対向する箇所には、前記端子支持部材の前部が挿入される凹部が前記一対の挿通孔と一体となる形で形成され、
この凹部の底部に、前記一対の挿通孔に沿うように延び、かつ前記端子支持部材と対向する面に突起が形成された、金属板製の一対の中間端子が固定され、
前記一対の挿通孔に前記一対のプラグ端子がそれぞれ挿入されたときに、前記ばね部材の付勢力によって前記一対の中間端子の突起を前記端子支持部材の一対の電源端子にそれぞれ押し付け、前記一対の中間端子のそれぞれを前記一対のプラグ端子と前記端子支持部材とで挟むことにより、前記一対の電源端子と前記一対のプラグ端子のそれぞれを電気的に接続することを特徴とする。
【００１５】
ここで、前記コンセント本体の対向する側壁に形成された矩形状の一対の開口部に、前記可動部材の対向する側面に形成された一対の突片がそれぞれ挿入され、前記可動部材が移動したときに前記一対の突片がそれぞれ前記一対の開口部の端部に当接することで前記可能部材の移動が制限されることが好ましい。
【００１６】
また、前記ばね部材としてコイルばねを用い、前記底板に、前記コイルばねの中空部を貫通する状態で支柱が取り付けられ、かつ前記可動部材に前記支柱を挿入する穴が形成されていることが好ましい。同様に、前記コイルバネが前記端子支持部材を中心として対称となる位置にそれぞれ配置され、この一対のコイルバネのそれぞれに対応する支柱が前記底板に取り付けられていることが好ましい。
【００１７】
また、前記一対の中間端子の突起は、その中間端子を構成する金属板の一部を打ち出すことにより形成されたものであることが好ましい。
【００１８】
また、前記端子支持部材の先端部は断面が台形状に形成され、かつ前記側面に前記電源端子が取り付けられていないことが好ましい。
【発明の効果】
【００１９】
本発明の電源コンセントによれば、電源端子に対してプラグ端子が確実に押し付けられるので、接触不良が発生する恐れがなく、電気機器に確実に電力を供給できる。
【００２０】
また、前後方向に移動可能な可動部材を介在させることにより、電源コンセントに対して電源プラグを確実に固定することができる一方、電源コンセントから電源プラグを簡単に取り外すことができる。
【００２１】
このように、本発明の電源コンセントは、構造が単純でありながら、操作性に優れると共に、電源端子とプラグ端子とを確実に接触させることができるかりでなく、電源プラグの取り外しも容易である。
【図面の簡単な説明】
【００２２】
【図１】本発明の実施の形態にかかる電源コンセントの正面図である。
【図２】図１の電源コンセントをＡ−Ａ線で切断した断面図である。
【図３】電源プラグのプラグ端子を電源コンセントの挿通孔に挿入した状態を示す断面図である。
【図４】電源プラグのプラグ端子が電源コンセントによって保持された状態を示す断面図である。
【図５】電源プラグのプラグ端子を電源コンセントの挿通孔から引き出した状態を示す断面図である。
【図６】電源コンセントの破損防止機構の動作を説明する断面図（その１）である。
【図７】電源コンセントの破損防止機構の動作を説明する断面図（その２）である。
【発明を実施するための形態】
【００２３】
以下、本発明の実施の形態にかかる電源コンセントについて、図面を参照しながら説明する。
【００２４】
＜電源コンセントの構成＞
図１は、本実施の形態にかかる電源コンセント１を正面から見た図、図２は、図１の電源コンセント１をＡ−Ａ線で切断した断面図である。電源コンセント１は、通常、建物の壁面に埋め込まれた状態、もしくは延長用の電源コードの先端に取り付けられた状態で使用される。
【００２５】
なお、図１に示す電源コンセント１では、一対のプラグ端子挿通孔３１を備えた２個の可動部材３が、ケースである直方体状のコンセント本体２に収容されたコンセントを示している。コンセント本体２に収容される稼動部材３の数は用途に応じて変わり、１個もしくは３個以上の稼動部材３がコンセント本体２に収容されたものであってもよい。
【００２６】
図２に示すように、本実施の形態にかかる電源コンセント１は、一面が開放された直方体状の空間部２０を有するコンセント本体２と、この空間部２０内に挿入され、かつ開放面に向けて移動可能な直方体状の可動部材３とで構成されている。前述したように可動部材３には一対のプラグ端子挿通孔（以降「挿通孔」と略記する）３１が形成されている。
【００２７】
コンセント本体２は絶縁性かつ難燃性のプラスチックを成型したもので、空間部２０は底板２１と角筒状の側板２２で囲まれ、開放面の周囲はケースの一部である外板２３で覆われている。なお、図２に示す例では、側板２２をコンセント本体２の側壁とは別に形成しているが、側板２２を側壁と一体に構成してもよい。
【００２８】
コンセント本体２の底板２１の一方の面（紙面に向かって左側）には商用電源に接続された一対の電源コード４が、他方の面（紙面に向かって右側）には一対の電源端子２４が取り付けられ、これらはそれぞれ金属製のボルト５１とナット５２で接続されている。
【００２９】
また底板２１の他方の面（紙面に向かって右側）には、可動部材３と協動して、電源プラグ６のプラグ端子６１を保持する端子支持部材２５が形成されている。端子支持部材２５は断面が矩形状に形成され、また図２に示すように底板側より開放面側の幅が広く、かつその上下両側の側面には、一対の電源端子２４が底板２１から延長する形で取り付けられ、接着剤で側面に貼り付けられている。この一対の電源端子２４は銅板等の導電性の板材で作製され、それぞれの端部は底板２１に沿うように折り曲げられ、また前述したようにボルト５１とナット５２を介して電源コード４と接続されている。
【００３０】
端子支持部材２５の先端部２６は断面が台形状に形成され、先端に向かって幅が狭くなっている。台形状に形成された先端部２６の側面には電源端子２４が取り付けられていない。端子支持部材２５の機能については、後に図面を参照して詳述する。
【００３１】
底板２１の開放面側の上部および下部には、それぞれ開放面に向けて円柱状の支柱２７が固定され、また支柱２７が中空部を貫通するようにコイルばね２８が配置されている。支柱２７の開放面側の端部は可動部材３に設けられた円筒状の穴３２に挿入され、またコイルばね２８の他端は可動部材３に固定されている。
【００３２】
可動部材３は、コイルばね２８によって、常に矢印Ａで示す方向（すなわち開放面側）に付勢されている。なお、一対のコイルばね２８を、端子支持部材２５を中心として対象となる位置に設けたのは、可動部材３への付勢力を均一にして可動部材３の動きを滑らかにするためである。コイルばね２８は本発明のばね部材を構成している。
【００３３】
コンセント本体２の対向する一対の側板２２には矩形状の開口部２９が形成され、この開口部２９に可動部材３の端部に形成された一対の突片３３がそれぞれ挿入されている。可動部材３の移動は、突片３３が開口部２９の端部に当接することにより制限される。具体的な移動制限の内容については、後に図面を用いて詳述する。
【００３４】
可動部材３は、コンセント本体２と同様の材料、すなわち絶縁性および難燃性のプラスチックを直方体状に成型したもので、中心部には、電源プラグ６のプラグ端子６１を挿入する一対の挿通孔３１が部材を貫通するように形成されている。
【００３５】
また可動部材３の底板側の中心部には、前述の端子支持部材２１の前部を収容する凹部３４が、一対の挿通孔３１と一体に形成され、その底部３５の両端には、接着剤を用いて一対の中間端子３６が固定されている。中間端子３６は銅板等の弾力性のある金属板で作製され、挿通孔３１に沿うように延び、かつ一方の端部が矩形状に折り曲げられて底部３５に固定されている。また端子支持部材２５と対向する面の開放端に近い部分に突起３７が形成されている。突起３７はプレス成型等によって金属板の一部を打ち出したものである。
【００３６】
＜電源コンセントの使い方＞
次に、図２〜図５の断面図を参照して電源コンセント１の使い方について説明する。図２は電源プラグ６が接続されていない状態、図３は電源プラグ６のプラグ端子６１を挿通孔３１に挿入した状態、図４は電源プラグ６のプラグ端子６１が電源コンセント１によって保持された状態、図５は電源プラグ６のプラグ端子６１を挿通孔３１から引き出された状態を示す。
【００３７】
最初に、図２を参照して、電源プラグ６が接続されていない状態、すなわち電源プラグ６のプラグ端子６１が挿通孔３１に挿入されていない状態について説明する
【００３８】
この状態では、可動部材３はコイルばね２８の力によって矢印Ａに示す方向（すなわち開放面側）に付勢されている。可動部材３が開放面側に移動すると、中間端子３６に設けられた突起３７が端子支持部材２５の側面の形状に沿って外方（図では上下方向）に変位し、最終的には、図２に示すように、中間端子３６が端子支持部材２５と可動部材３の挿通孔３１の端部の壁面で挟まれた状態となる。この状態では、中間端子３６の突起３７が邪魔になって、可動部材３はこれ以上開放面側に移動できなくなり、その状態に保持される。
【００３９】
図３に示すように、この状態で、ユーザが電源プラグ６の本体６２を手で持ち、プラグ端子６１をコンセント本体２の挿通孔３１に挿入すると、コイルばね２８の付勢力に抗して可動部材３が電源プラグ６と一緒に矢印Ｂで示す方向（すなわち底板側）に移動し、突片３３が開口部２９の左端に当接した時点で停止する。この状態では、中間端子３６は挿通孔３１に挿入されたプラグ端子６１に接している。
【００４０】
次に、ユーザが把持していた電源プラグ６の本体６２を放すと、図４に示すように、可動部材３はコイルばねの付勢力によって矢印Ａ方向（開放面側）に移動するが、端子支持部材２５の幅が拡がるために、突起３７が端子支持部材２５とプラグ端子６との間に挟まり、図４に示す位置で停止する。この状態では、コイルばね２８の付勢力が突起３７を端子支持部材２５に押し付ける力に変換され、プラグ端子６１は、挿通孔６１の壁と端子支持部材２５によって挟まれ、中間端子３６をプラグ端子６１に強く押し付ける。
【００４１】
この状態において、電源コード４から供給される電流は電源端子２４、突起３７、中間端子３６およびプラグ端子６１を通って図示しない電気器具に供給される。上述したように、これらの部材はコイルばね２８の付勢力によって互いに強く押し付けられているため、良好な電気的接触を実現できる。
【００４２】
次に、電源プラグ６を電源コンセント１から取り外す際には、図５に示すように、ユーザは指先で可動部材３を矢印Ｃで示す方向（すなわち底板側）に押圧する。可動部材３はコイルばね２８の付勢力に抗して移動し、突片３３が開口部２９の端部に当接した時点で停止する。
【００４３】
図５に示すように、この位置では中間端子３６の突起３７は端子支持部材２５の側面の設けられた電源端子２４から離れている。ユーザが電源プラグ６の本体６２を手で持ち、矢印Ｄで示す方向（開放面側）に引くと、力を入れることなくプラグ端子６１を挿通孔３１から引き抜くことができる。
【００４４】
プラグ端子６１が挿通孔３１から引き抜かれた後、ユーザが可動部材３の押圧を止めると、可動部材３はコイルばね２８の付勢力によって矢印Ａ方向に移動し、図２に示す状態に戻る。
【００４５】
上述したように、本実施の形態の電源コンセント１では、中間端子３６を備えた、前後方向に移動可能な可動部材３を介在させることにより、電源コンセント１に対して電源プラグ６を確実に固定することができる一方、電源コンセント１から電源プラグ６を、力を加えることなく簡単に取り外すことができる。
【００４６】
また電源プラグ６が電源コンセント１に接続された状態においては、中間端子
３６を介して電源端子２４にプラグ端子６１が確実に押し付けられるので、接触不良が発生する恐れがなく、電気機器に確実に電力を供給することができる。
【００４７】
＜電源コンセントの破損防止機構＞
前述の図５に示したように、電源プラグ６を電源コンセント１から外す際には、指で可動部材３を矢印Ｃ方向に押して移動させた後に、プラグ端子６１を挿通孔３１から引き抜く必要がある。ユーザがこの操作を知らず、もしくは忘れて電源プラグ６を電源コンセント１から無理に取り外そうとすると、プラグ端子６１と挿通孔３１の壁面との間の摩擦力、およびプラグ端子６１と中間端子３６との間の摩擦力によって、中間端子３６および可動部材３に過大な力が加わり、これらの一部が損傷し、最悪の場合、可動部材３が破損することがある。
【００４８】
本実施の形態では、このような場合に対応するため、電源コンセント１に破損防止機構を付加している。図６および図７を参照して、電源コンセント１の破損防止機構について説明する。
【００４９】
図６に示すように、ユーザが可動部材３を矢印Ｃ方向（図５参照）に移動させることなく電源プラグ６を電源コンセント１から無理に外そうとすると、摩擦力によって可動部材３はプラグ端子６１と一体となって移動する。前述したように、この状態では、挿通孔３１の壁面と端子支持部材２５との間の距離が狭まり、中間端子３６の突起３７が端子支持部材２５に当接して可動部材３の移動が制限される。この状態でプラグ端子６１を無理に引き抜こうとすると、図６に示すように、中間端子３６の突起３７が変形する。
【００５０】
前述したように、中間端子３６は弾性を有する金属板で作製されている。かつ突起３７はプレス加工等によって金属板を打ち出したものであり、裏側に凹みが形成されているため、強い力が加わると変形する。その結果、端子支持部材２５の幅の最も広い箇所、言い換えれば挿通孔３１の壁面と端子支持部材２５との間の距離が最も狭い箇所を、突起３７が変形しながら通過して矢印Ｄ方向に移動する。
【００５１】
図７に、突起３７が端子支持部材２５の幅の最も広い箇所を通過した状態を示す。図７に示す状態になると、突起３７は挿通孔３１の壁面と端子支持部材２５との間に加わる力から解放されて元の形状に戻る。またプラグ端子６１を押し付ける力がほとんどなくなるため、プラグ端子６１を簡単に挿通孔３１から引き抜くことができる。
【００５２】
この状態において、可動部材３がコンセント本体２から外れて外部に取り出されると、空間部２０が開放され、指で電源端子２４に直接触れることができる状態となるため、感電の危険性が生じる。しかし、可動部材３の突片３３の端部がコンセント本体２の外板２３に当接して、可動部材３がコンセント本体２から外れることはないため、感電の危険性はない。
【００５３】
なお、プラグ端子６１が挿通孔３１から引き抜かれた状態では、中間端子３６の突起３７は端子支持部材２５より開放面側に位置している。前述したように、端子支持部材２５の先端部２６は断面が台形状に形成されており、電源端子２４の先端位置を超えると幅は次第に狭くなる。図７に示す状態では、突起３７は先端部２６の傾斜面に接している。
【００５４】
図７に示す状態において、挿通孔３１からプラグ端子６１を引き抜いた後、ユーザが指で可動部材３を矢印Ｄと逆方向に押すと、中間端子３６の突起３７は端子支持部材２５の先端部２６の傾斜部に沿って外方（図では上下方向）に移動し、幅が最も広い位置を越えて底板側に移動する。最終的には、可動部材３は図２に示す状態に戻り、その状態に保持される。
【００５５】
上述したように、本実施の形態にかかる電源コンセント１では、ユーザが操作を誤り、可動部材３を矢印Ｃ方向に移動させることなく電源プラグ６を取り外そうとした場合でも、上述の破損防止機構によってプラグ端子６１を挟む力が解放されるため、中間端子３６や可動部材３が損傷したり、破損したりすることはない。
【００５６】
なお、上述した実施の形態では、電源端子２４を接着剤により端子支持部材２５に取り付け、また中間端子３６を接着剤により可動部材３の底部３５に取り付けたが、取付方法は接着剤に限定されない。絶縁性に問題がなければ、ビス等の締結部材を用いて取り付けるようにしてもよい。
【００５７】
また、上述した実施の形態では、コンセント本体２の直方体状の空間部２０に直方体状の可動部材３を収容したが、空間部および可動部材の形状はこれに限定されない。例えば、円筒状の空間部に円筒状の可動部材を収容するようにしてもよい。
【００５８】
また、上述した実施の形態では、端子支持部材２５として放物線状の側面形状を有する部材を用いたが、同様の機能を発揮できるものであれば、直線状等の他の側面形状を有する部材であってもよい。
【００５９】
また、上述した実施の形態では、ばね部材としてコイルバネ２８を用いたが、底板２１と可動部材３の間に収容でき、かつコンパクトな形状であれば、板ばね等の他のばね部材を用いてもよい。
【符号の説明】
【００６０】
１  電源コンセント
２  コンセント本体
３  可動部材
４  電源コード
６  電源プラグ
２０  空間部
２１  底板
２２  側板
２３  外板
２４  電源端子
２５  端子支持部材
２６  先端部
２７  支柱
２８  コイルばね
２９  開口部
３１  挿通孔
３２  穴
３３  突片
３４  凹部
３５  底部
３６  中間端子
３７  突起
６１  プラグ端子
６２  プラグ本体
【図１】
2013161659.tif 000003
【図２】
2013161659.tif 000004
【図３】
2013161659.tif 000005
【図４】
2013161659.tif 000006
【図５】
2013161659.tif 000007
【図６】
2013161659.tif 000008
【図７】
2013161659.tif 000009